(57)【要約】【課題】複数のリモコン送信器から同時にワイヤレス信号が送信されてもワイヤレス信号同士の干渉の影響を受けにくく、ワイヤレス信号の送受信の成功率が向上するリモコン送受信装置を提供する。【解決手段】リモコン送信器の制御部は、トリガ信号を受ける度に、所定長さの送信期間内で同一内容のワイヤレス信号Ｓ１〜Ｓ５を複数回繰り返して送信するようにＬＥＤを制御する。ここで、制御部は、連続するワイヤレス信号Ｓ１〜Ｓ５同士の合間と、最初のワイヤレス信号Ｓ１の送信前と、最後のワイヤレス信号Ｓ５の送信との中からランダムに選択されるタイミングで、ワイヤレス信号の送信を行わない待機期間ＮＳ１を少なくとも１回設定する。待機期間ＮＳ１には、少なくともＬＥＤからワイヤレス信号Ｓ１〜Ｓ５を１回送信するのに要する時間に亘ってワイヤレス信号Ｓ１〜Ｓ５の送信を停止する。【選択図】図１
2011071777.tif 000002
【特許請求の範囲】
【請求項１】
負荷の動作を制御するためのワイヤレス信号を送信する送信部と、所定の条件でトリガ信号を出力するトリガ部と、トリガ部からのトリガ信号を受けて所定のワイヤレス信号が送信されるように送信部を制御する制御部と有したリモコン送信器と、送信部からのワイヤレス信号を受信するリモコン受信部とを備え、制御部は、トリガ信号を受ける度に同一内容のワイヤレス信号を複数回繰り返して送信し、且つ、繰り返し送信されるワイヤレス信号のうち、連続するワイヤレス信号の合間と、最初のワイヤレス信号の送信前と、最後のワイヤレス信号の送信後との中からランダムに選択されるタイミングで、少なくとも送信部がワイヤレス信号を１回送信するのに要する時間に亘りワイヤレス信号の送信を停止する待機期間を１回以上含むように送信部を制御することを特徴とするリモコン送受信装置。
【請求項２】
前記制御部は、前記送信部が前記ワイヤレス信号を２回繰り返して送信するのに要する時間以上の長さに前記待機期間を設定することを特徴とする請求項１記載のリモコン送受信装置。
【請求項３】
前記送信部は、電波を媒体として前記ワイヤレス信号を送信することを特徴とする請求項１または請求項２に記載のリモコン送受信装置。
【請求項４】
前記送信部は、赤外線を媒体として前記ワイヤレス信号を送信することを特徴とする請求項１または請求項２に記載のリモコン送受信装置。
【発明の詳細な説明】
【技術分野】
【０００１】
本発明は、家電機器等の負荷を制御するためのワイヤレス信号を光または電波を媒体として送受信するリモコン送受信装置に関するものである。
【背景技術】
【０００２】
従来から、テレビ受像機やエアコン（エアコンディショナー）、照明器具等の家電機器の動作状態を遠隔制御するリモートコントロール（以下、「リモコン」と略称する）送受信装置が知られている。
【０００３】
このリモコン送受信装置は、操作ボタンを有するリモコン送信器と、制御対象に設けられたリモコン受信部とを備えている。リモコン送信器は、操作ボタンが操作されると、制御対象の動作モードをコード化した制御内容を、赤外線や電波等を媒体として送受信されるワイヤレス信号（制御信号）として制御対象のリモコン受信部に向けて送出する。リモコン受信部は、ワイヤレス信号の到来を感知して制御内容を解読することにより、制御対象の動作状態を制御する。
【０００４】
ただし、この種のリモコン送受信装置に用いられるワイヤレス信号は、外来ノイズの影響を受けやすく、リモコン受信部に到達する前に信号成分が減衰しリモコン受信部で解読できなくなる可能性がある。この問題を解消するために、同一内容のワイヤレス信号を一定の時間間隔で周波数チャンネルを変化させながらリモコン送信器から複数回送出し、リモコン受信部でいずれかの周波数チャンネルを使用してワイヤレス信号を受信する技術が提案されている（たとえば特許文献１参照）。
【先行技術文献】
【特許文献】
【０００５】
【特許文献１】特開２００６−２７８０６０号公報
【発明の概要】
【発明が解決しようとする課題】
【０００６】
しかし、上述の構成では、同一周波数のワイヤレス信号を使用する２台以上の制御対象（照明器具等）が互いに他方のワイヤレス信号が届く位置に存在する場合、双方のリモコン送信器から同時にワイヤレス信号が送信されると、ワイヤレス信号同士が干渉し各リモコン受信部で正常にワイヤレス信号を読み取れない可能性がある。たとえば、２台のリモコン送信器のタイマ機能によって同時刻に別々の照明器具を制御する場合、各リモコン送信器からのワイヤレス信号同士が干渉し合い、いずれの照明器具も制御できないことがある。特に、電波を媒体とするワイヤレス信号を用いる場合、ワイヤレス信号が壁を通過するため、壁で隔てた隣室間でもワイヤレス信号同士の干渉を生じやすくなる。
【０００７】
本発明は上記事由に鑑みて為されたものであって、複数のリモコン送信器から同時にワイヤレス信号が送信されてもワイヤレス信号同士の干渉の影響を受けにくく、ワイヤレス信号の送受信の成功率が向上するリモコン送受信装置を提供することを目的とする。
【課題を解決するための手段】
【０００８】
請求項１の発明では、負荷の動作を制御するためのワイヤレス信号を送信する送信部と、所定の条件でトリガ信号を出力するトリガ部と、トリガ部からのトリガ信号を受けて所定のワイヤレス信号が送信されるように送信部を制御する制御部と有したリモコン送信器と、送信部からのワイヤレス信号を受信するリモコン受信部とを備え、制御部は、トリガ信号を受ける度に同一内容のワイヤレス信号を複数回繰り返して送信し、且つ、繰り返し送信されるワイヤレス信号のうち、連続するワイヤレス信号の合間と、最初のワイヤレス信号の送信前と、最後のワイヤレス信号の送信後との中からランダムに選択されるタイミングで、少なくとも送信部がワイヤレス信号を１回送信するのに要する時間に亘りワイヤレス信号の送信を停止する待機期間を１回以上含むように送信部を制御することを特徴とする。
【０００９】
この構成によれば、同一内容のワイヤレス信号を複数回繰り返して送信する間にランダムのタイミングで待機期間を設けることによって、待機期間のタイミングが偶然重ならない限り、少なくともワイヤレス信号を１回送信する間は、同時に送信された他のリモコン送信器からのワイヤレス信号との干渉を回避することができる。すなわち、複数のリモコン送信器から同時にワイヤレス信号が送信されてもワイヤレス信号同士の干渉の影響を受けにくく、ワイヤレス信号の送受信の成功率が格段に向上する。
【００１０】
請求項２の発明は、請求項１の発明において、前記制御部が、前記送信部が前記ワイヤレス信号を２回繰り返して送信するのに要する時間以上の長さに前記待機期間を設定することを特徴とする。
【００１１】
この構成によれば、待機期間のタイミングが偶然重ならない限り、他のリモコン送信器からワイヤレス信号を１回送信するよりも短い時間だけずれてワイヤレス信号が送信されたとしても、少なくともワイヤレス信号を１回送信する間は、ワイヤレス信号同士の干渉を回避することができる。
【００１２】
請求項３の発明は、請求項１または請求項２の発明において、前記送信部が、電波を媒体として前記ワイヤレス信号を送信することを特徴とする。
【００１３】
この構成によれば、リモコン送信器とリモコン受信部との間に壁等の障害物があってもワイヤレス信号を送受信することが可能になる。また、同時に送信された他のリモコン送信器からのワイヤレス信号との干渉の影響を受けにくいので、壁を隔てた隣室間でワイヤレス信号の干渉が生じる場合にも対応することができる。
【００１４】
請求項４の発明は、請求項１または請求項２の発明において、前記送信部が、赤外線を媒体として前記ワイヤレス信号を送信することを特徴とする。
【００１５】
この構成によれば、壁を隔てた隣室間でワイヤレス信号同士の干渉が生じることはないので、複数のリモコン送信器から同時にワイヤレス信号が送信されてもワイヤレス信号同士が干渉することはなく、ワイヤレス信号の送受信の成功率がさらに向上する。
【発明の効果】
【００１６】
本発明は、同一内容のワイヤレス信号を複数回繰り返して送信する間にランダムのタイミングで待機期間を設けることによって、複数のリモコン送信器から同時にワイヤレス信号が送信されてもワイヤレス信号同士の干渉の影響を受けにくく、ワイヤレス信号の送受信の成功率が格段に向上するという利点がある。
【図面の簡単な説明】
【００１７】
【図１】本発明の実施形態１のリモコン送信器からのワイヤレス信号列を示す説明図である。
【図２】同上に用いる照明器具を示し、（ａ）は側面図、（ｂ）は下面図である。
【図３】同上に用いる照明器具の構成を示す概略ブロック図である。
【図４】同上のリモコン送信器の構成を示す概略ブロック図である。
【図５】同上で用いるワイヤレス信号を示す説明図である。
【図６】同上の使用例を示す概略図である。
【図７】同上のリモコン送信器からのワイヤレス信号列の他の例を示す説明図である。
【発明を実施するための形態】
【００１８】
（実施形態１）
本実施形態のリモコン送受信装置は、一例として図２に示すように天井に取り付けられる円盤状の器具本体２１と、光源として環状の蛍光灯２２とを具備した照明器具２を制御対象の負荷とする。すなわち、照明器具２の器具本体２１には、後述のリモコン送信器１と共にリモコン送受信装置を構成しリモコン送信器１からのワイヤレス信号を受信するリモコン受信部２０と、ワイヤレス信号の内容（制御内容）を受けて蛍光灯２２を点灯させる点灯回路２３とが設けられている。ここで、照明器具２の構成については、本発明の要旨ではないので以下に簡単に説明する。
【００１９】
天井面３には、照明器具２の機械的保持と電源の接続との両方を担う接続アダプタ３１が設けられており、器具本体２１は中央部に設けられた接続部２４を接続アダプタ３１に対して機械的に結合するとともに電気的に接続することで天井３に取り付けられる。蛍光灯２２の上方（天井側）には蛍光灯２２の光を下方（室内側）に反射する反射板２５が設けられ、点灯回路２３は反射板２５の上方に設けられており、リモコン受光部２０は反射板２５の下面側に露出する形で設けられている。照明器具２の下面は透光性を有する樹脂性カバー２６で覆われている。
【００２０】
点灯回路２３は、図３に示すようにフィルタ２３ａを介して交流電源（接続部２４）に接続され直流電源を出力する力率改善部２３ｂと、蛍光灯２２に電力供給するインバータ部２３ｃとを有する一般的な構成を採用する。ここで、力率改善部２３ｂおよびインバータ部２３ｃは、点灯制御部２３ｄによってそれぞれの動作が制御される。
【００２１】
本実施形態では、リモコン送信器１から送信されるワイヤレス信号は赤外線を媒体として送信されるものであり、リモコン受信部２０には赤外線を受光する受光素子２０ａが設けられている。さらに、リモコン受信部２０には、点灯回路２３の点灯制御部２３ｄに接続された負荷制御部２０ｂが設けられており、負荷制御部２０ｂは、ワイヤレス信号の内容によりプログラムに従って点灯制御部２３ｄに蛍光灯２２の点灯状態（点灯・消灯の別、調光レベルなど）を制御させる。
【００２２】
一方、リモコン送信器１は、図４に示すようにワイヤレス信号を送信する送信部としての赤外線発光ダイオード（以下、「ＬＥＤ」という）１０と、照明器具２を操作するための操作ボタン１１と、操作ボタン１１の操作に応じて所定のワイヤレス信号が送信されるようにＬＥＤ１０を発光させる制御部１２とを備えている。制御部１２はマイコンを主構成とし、内蔵発信子１３が設けられている。ここで、リモコン送信器１にはタイマ時刻になると自動的にワイヤレス信号を発信するタイマ機能が備わっており、操作ボタン１１が操作されるか、あるいはタイマ時刻になることでトリガ信号が発生し、このトリガ信号を受けて制御部１２が動作する。
【００２３】
さらに、リモコン送信器１は、現在時刻やタイマ機能など各種設定を行うための設定ボタン群１４と、設定内容や現在時刻を表示する表示部１５とを具備している。設定ボタン群１４は、上ボタン１４ａと、中ボタン１４ｂと、下ボタン１４ｃと、時刻設定ボタン１４ｄと、タイマ設定ボタン１４ｅとの合計５つの設定ボタンで構成される。
【００２４】
以下に、上記リモコン送信器１の基本的な動作を説明する。
【００２５】
リモコン送信器１は、設定ボタン群１４の時刻設定ボタン１４ｄが押されることで、現在時刻の設定を行う時刻設定モードに移行する。この状態で表示部１５には現在時刻の候補が表示されるので、ユーザはこの表示を見ながら上ボタン１４ａ、下ボタン１４ｃを使用して１分単位で現在時刻を合わせ、中ボタン１４ｂを押して時刻設定モードを終了する。制御部１２には内蔵発信子１３が設けられているため、時刻設定モードの終了後、リモコン送信器１は現在時刻を計時して表示部１５に表示する。
【００２６】
さらに、リモコン送信器１は、設定ボタン群１４のタイマ設定ボタン１４ｅが押されることで、タイマ時刻の設定を行うタイマ設定モードに移行する。この状態で表示部１５には、上段に現在時刻、下段にタイマ時刻の候補が表示されるので、ユーザはこの表示を見ながら上ボタン１４ａ、下ボタン１４ｃを使用して１分単位でタイマ時刻を合わせ、中ボタン１４ｂを押してタイマ設定モードを終了する。このようにしてタイマ時刻の設定が行われることで、リモコン送信器１は、現在時刻がタイマ時刻と一致したときに、制御部１２の内部で割込み処理を発生させ、その割込み処理でＬＥＤ１０から自動的にワイヤレス信号を発信するタイマ機能が作動する。
【００２７】
ところで、本実施形態のリモコン送信器１においては、制御部１２は、トリガ信号を受ける度に、所定長さの送信期間内で同一内容のワイヤレス信号を複数回繰り返して送信するようにＬＥＤ１０を制御する。ここで、制御部１２は、送信期間のうち、連続するワイヤレス信号同士の合間と、最初のワイヤレス信号の送信前と、最後のワイヤレス信号の送信との中からランダムに選択されるタイミングで、ワイヤレス信号の送信を行わない待機期間を少なくとも１回は設定する。待機期間は、少なくともＬＥＤ１０からワイヤレス信号を１回送信するのに要する時間に亘ってワイヤレス信号の送信を停止する期間とする。これにより、送信期間には常にワイヤレス信号が送信されるのではなく、適当なタイミングでワイヤレス信号の送信が停止されることになる。以下、１回の送信期間中に送信される複数回のワイヤレス信号と待機期間とを合わせて「ワイヤレス信号列」という。
【００２８】
たとえば、照明器具２を点灯させるためのワイヤレス信号を５回繰り返して送信する場合、ワイヤレス信号列ＡＳ１は、図１（ａ）に示すように、５回のワイヤレス信号Ｓ１〜Ｓ５と、ワイヤレス信号の送信を停止する１回の待機期間ＮＳ１とからなる。待機期間ＮＳ１の長さは各ワイヤレス信号Ｓ１〜Ｓ５の送信時間と略同じ長さである。ここで、各ワイヤレス信号Ｓ１〜Ｓ５は、図５に示すように各照明器具（制御対象の負荷）２ごとに個別に設定されているＩＤコードＣａと、制御内容を表す命令コードＣｂとからなる。
【００２９】
この例の場合、待機期間ＮＳ１は、１，２回目のワイヤレス信号Ｓ１，Ｓ２間、２，３回目のワイヤレス信号Ｓ２，Ｓ３間、３，４回目のワイヤレス信号Ｓ３，Ｓ４間、４，５回目のワイヤレス信号Ｓ４，Ｓ５間、若しくは最初のワイヤレス信号Ｓ１送信前、または最後のワイヤレス信号Ｓ５送信後の計６箇所のうち、いずれかの箇所に設定される。待機期間ＮＳ１を設定する箇所は、制御部（マイコン）１２の乱数発生機能を用いてランダムに決定される。図１（ａ）の例では、１回目のワイヤレス信号Ｓ１と２回目のワイヤレス信号Ｓ２との間に待機期間ＮＳ１が設定されており、図１（ｂ）の例では、３回目のワイヤレス信号Ｓ３と４回目のワイヤレス信号Ｓ４との間に待機期間ＮＳ１が設定されている。
【００３０】
上述したようなワイヤレス信号列ＡＳ１がリモコン送信器１から送信されると、リモコン受信部２０ではワイヤレス信号Ｓ１〜Ｓ５のいずれか１つを受信する。通常、リモコン受信部２０は１回目のワイヤレス信号Ｓ１を受信するが、干渉や外部ノイズの影響で１回目のワイヤレス信号Ｓ１を正常に受信できない場合には、２回目以降のワイヤレス信号Ｓ２〜Ｓ５の中で正常に受信できるものを受信する。また、続けて同じ内容のワイヤレス信号Ｓ１〜Ｓ５が受信されないように、リモコン受信部２０は、１度ワイヤレス信号Ｓ１〜Ｓ５の受信に成功すると、その後の所定時間（たとえば送信期間と同程度の長さ）に亘りワイヤレス信号Ｓ１〜Ｓ５の受信を停止する。
【００３１】
しかして、いずれかのワイヤレス信号Ｓ１〜Ｓ５を受信したリモコン受信部２０の負荷制御部２０ｂは、まずワイヤレス信号Ｓ１〜Ｓ５よりＩＤコードＣａを読み取り、予め設定されている照明器具のＩＤコードと照合する。このとき、ＩＤコードＣａが一致すれば、リモコン受信部２０は命令コードＣｂのデコードに移行し、ＩＤコードＣａが一致しなければ、当該ワイヤレス信号Ｓ１〜Ｓ５は無効なものとして無視する。デコードした命令コードＣｂの内容が照明器具２を点灯させるという内容であれば、負荷制御部２０ｂは点灯制御部２３ｄに制御信号を送り、インバータ部２３ｃを駆動して蛍光灯２２を点灯させる。
【００３２】
次に、図６に示すように、上記リモコン送受信装置を用いた２台の照明器具２Ａ，２Ｂを同室内に設置した場合を例として、リモコン送受信装置の動作を説明する。ここに、一方のリモコン送信器１Ａは一方の照明器具２ＡのＩＤコードを含むワイヤレス信号を送信し、他方のリモコン送信器１Ｂは他方の照明器具２ＢのＩＤコードを含むワイヤレス信号を送信する。ここでは、各リモコン送信器１Ａ，１Ｂはそれぞれ対応する照明器具２Ａ，２Ｂのリモコン受信部２０に向けてワイヤレス信号を送信するように各照明器具２Ａ，２Ｂの下方に配置されているものの、各リモコン送信器１Ａ，１Ｂからのワイヤレス信号は互いに他の照明器具２Ａ，２Ｂのリモコン受信部２０にも到達するものとする。
【００３３】
両リモコン送信器１Ａ，１Ｂにおいて、両照明器具２Ａ，２Ｂをタイマ機能により同時刻に点灯させるようにそれぞれのタイマ時刻が設定されていると、現在時刻に相対的にずれがなければ両リモコン送信器１Ａ，１Ｂから同時にワイヤレス信号列ＡＳ１が送信されることになる。ここで、一方のリモコン送信器１Ａから図１（ａ）のように１，２回目のワイヤレス信号Ｓ１，Ｓ２間に待機期間ＮＳ１を含むワイヤレス信号列ＡＳ１が送信され、他方のリモコン送信器１Ｂから図１（ｂ）のように３，４回目のワイヤレス信号Ｓ３，Ｓ４間に待機期間ＮＳ１を含むワイヤレス信号列ＡＳ１が送信されるものとする。
【００３４】
これにより、時間軸方向において両ワイヤレス信号列ＡＳ１のワイヤレス信号Ｓ１〜Ｓ５同士が重複している期間には、ワイヤレス信号Ｓ１〜Ｓ５同士の干渉が生じるものの、それぞれのワイヤレス信号列ＡＳ１の待機期間ＮＳ１には、他方のリモコン送信器１Ａ，１Ｂからのワイヤレス信号Ｓ１〜Ｓ５のみが送信されることになり干渉は生じない。そのため、両ワイヤレス信号列ＡＳ１のワイヤレス信号Ｓ１〜Ｓ５同士が重複している期間には、リモコン受信部２０においてワイヤレス信号Ｓ１〜Ｓ５を正常に読み出すことができない可能性があるものの、待機期間ＮＳ１には、干渉の影響を受けずにワイヤレス信号Ｓ１〜Ｓ５をリモコン受信部２０にて読み取ることができる。図１の例では、リモコン送信器１Ａからのワイヤレス信号列ＡＳ１の待機期間ＮＳ１にはリモコン送信器１Ｂからのワイヤレス信号Ｓ２を受信でき（期間Ｔｂ）、リモコン送信器１Ｂからのワイヤレス信号列ＡＳ１の待機期間ＮＳ１にはリモコン送信器１Ａからのワイヤレス信号Ｓ３を受信できる（期間Ｔａ）。
【００３５】
以上説明したように、本実施形態のリモコン送受信装置によれば、待機期間ＮＳ１のタイミングが偶然重ならない限り、少なくともワイヤレス信号Ｓ１〜Ｓ５を１回送信する間にかけては、同時に送信された他のリモコン送信器１からのワイヤレス信号Ｓ１〜Ｓ５との干渉を回避することができるという利点がある。したがって、複数台のリモコン送信器１から同時にワイヤレス信号Ｓ１〜Ｓ５が送信されても、ワイヤレス信号Ｓ１〜Ｓ５の送受信の成功率は高くなる。
【００３６】
また、同時にワイヤレス信号Ｓ１〜Ｓ５を送信する２台のリモコン送信器１のうち一方が、上述したようにランダムに待機期間ＮＳ１を挿入したワイヤレス信号列ＡＳ１を送信するものでなくても、他方のリモコン送信器１に本実施形態の構成を採用することで、少なくとも前記一方からのワイヤレス信号Ｓ１〜Ｓ５については送受信の成功率が高くなる。つまり、前記一方のリモコン送信器１が、単に同一内容のワイヤレス信号を連続で複数回繰り返して送信するものであっても、他方のリモコン送信器１からのワイヤレス信号列ＡＳ１の待機期間ＮＳ１に、前記一方のリモコン送信器１からのワイヤレス信号Ｓ１〜Ｓ５を干渉することなく送信することが可能である。
【００３７】
ところで、図１の例のように待機期間ＮＳ１の長さを各ワイヤレス信号Ｓ１〜Ｓ５の送信時間と略同じにした場合、他のリモコン送信器１からワイヤレス信号Ｓ１〜Ｓ５を１回送信するよりも短い時間だけずれてワイヤレス信号Ｓ１〜Ｓ５が送信されたときに、ワイヤレス信号Ｓ１〜Ｓ５の一部が干渉することがある。この問題については、待機期間ＮＳ２の長さを各ワイヤレス信号Ｓ１〜Ｓ５の送信時間の２倍以上に設定することにより解消することができる。
【００３８】
以下、待機期間ＮＳ２を各ワイヤレス信号Ｓ１〜Ｓ５の送信時間の２倍とした場合のリモコン送受信装置の動作について、図６に示すように上記リモコン送受信装置を用いた２台の照明器具２Ａ，２Ｂを同室内に設置した場合を例として説明する。
【００３９】
ここで、両リモコン送信器１Ａ，１Ｂにおいては、両照明器具２Ａ，２Ｂをタイマ機能により同時刻に点灯させるようにそれぞれのタイマ時刻が設定されている。ただし、内蔵発信子１３の誤差などにより現在時刻に相対的なずれが生じ、図７のように、一方のリモコン送信器１Ａからのワイヤレス信号列ＡＳ２に比べて、他方のリモコン送信器１Ｂからのワイヤレス信号列ＡＳ２が遅延時間Ｔｄだけ遅れているものとする。遅延時間Ｔｄは、ワイヤレス信号Ｓ１〜Ｓ５のいずれかを１回送信するよりも短い時間である。また、一方のリモコン送信器１Ａから図７（ａ）のように１，２回目のワイヤレス信号Ｓ１，Ｓ２間に待機期間ＮＳ２を含むワイヤレス信号列ＡＳ２が送信され、他方のリモコン送信器１Ｂから図７（ｂ）のように２，３回目のワイヤレス信号Ｓ２，Ｓ３間に待機期間ＮＳ２を含むワイヤレス信号列ＡＳ２が送信されるものとする。
【００４０】
この状態で、もし待機期間ＮＳ２の長さが各ワイヤレス信号Ｓ１〜Ｓ５の送信時間と同じであると、各リモコン送信器１Ａ，１Ｂからのワイヤレス信号Ｓ１〜Ｓ５のいずれについても、他のリモコン送信器１Ａ，１Ｂからのワイヤレス信号列の待機期間ＮＳ２内に完全には収まらない。そのため、各リモコン送信器１Ａ，１Ｂからのワイヤレス信号Ｓ１〜Ｓ５のいずれについても、少なくとも一部が他のリモコン送信器１Ａ，１Ｂからのワイヤレス信号Ｓ１〜Ｓ５と干渉する。
【００４１】
これに対して、待機期間ＮＳ２を各ワイヤレス信号Ｓ１〜Ｓ５の送信時間の２倍とすることで、各リモコン送信器１Ａ，１Ｂからのワイヤレス信号Ｓ１〜Ｓ５のいずれかが、他のリモコン送信器１Ａ，１Ｂからのワイヤレス信号列の待機期間ＮＳ２内に完全に収まることになる。したがって、待機期間ＮＳ２のタイミングが偶然重ならない限り、少なくともワイヤレス信号Ｓ１〜Ｓ５を１回送信する間は、ワイヤレス信号Ｓ１〜Ｓ５同士の干渉を回避することができ、ワイヤレス信号Ｓ１〜Ｓ５の送受信の成功率が向上する。図７の例では、リモコン送信器１Ａからのワイヤレス信号列ＡＳ２の待機期間ＮＳ２にはリモコン送信器１Ｂからのワイヤレス信号Ｓ２を受信でき（期間Ｔｂ）、リモコン送信器１Ｂからのワイヤレス信号列ＡＳ２の待機期間ＮＳ２にはリモコン送信器１Ａからのワイヤレス信号Ｓ２を受信できる（期間Ｔａ）。
【００４２】
また、上記実施形態では、１回のワイヤレス信号列につき待機期間を１回設ける例を示したが、この例に限らず、１回のワイヤレス信号列に待機期間を複数回設けてもよい。さらに、上記実施形態では、１回のワイヤレス信号列にワイヤレス信号を５回繰り返して送信する例を示したが、ワイヤレス信号の繰り返し回数は５回に限るものではない。たとえば、ワイヤレス信号の繰り返し回数を増やすことで、待機期間を挿入するタイミングの選択肢が増え、ワイヤレス信号の送受信の成功率がより向上する。
【００４３】
なお、リモコン送信器１から送信されるワイヤレス信号は、赤外線を媒体として送信されるものに限らず、赤外線以外の光、あるいは電波を媒体として送信されるものであってもよい。
【符号の説明】
【００４４】
１  リモコン送信器
２  照明器具（負荷）
１０  ＬＥＤ（送信部）
１２  制御部
２０  リモコン受信部
ＮＳ１，ＮＳ２  待機期間
Ｓ１〜Ｓ５  ワイヤレス信号
【図１】
2011071777.tif 000003
【図２】
2011071777.tif 000004
【図３】
2011071777.tif 000005
【図４】
2011071777.tif 000006
【図５】
2011071777.tif 000007
【図６】
2011071777.tif 000008
【図７】
2011071777.tif 000009